(57)【特許請求の範囲】
【請求項１】
天井面に直付けされる１灯用の照明器具において、
前記照明器具は、
少なくとも長手方向の一方端下面にランプソケットが装着されるランプソケット取付部が取付けられ幅方向断面形状が略コ字状をなす器具本体とこの器具本体に取付けられる反射板とを備え、
前記照明器具の長手方向の中心線より一方側の前記器具本体下面に安定器を配置するとともに、
前記照明器具の長手方向の中心線より他方側の器具本体部分を前記一方側の器具本体部分より幅狭に形成したことを特徴とする照明器具。
【請求項２】
前記ランプソケット取付部はその両側に形成された一対の取付片部を器具本体の下面に取付けて設けられ、両側縁に一対の補強片が下方に向けて折曲げ形成された前記器具本体の端部に前記天井面に突当たるように上方に向けて突出形成した複数のダボを前記一対の取付片部と交互に配置するとともに、前記ランプソケット取付部の中心は、前記照明器具の幅方向中央に位置するように配置したことを特徴とする請求項１記載の照明器具。
【発明の詳細な説明】
【０００１】
【発明の属する技術分野】
本発明は、天井面に直付けされる１灯用の照明器具に関する。
【０００２】
【従来の技術】
従来、直付型の照明器具は一般に多灯用に採用され、照明器具に取付けられるランプは、長手方向に沿って並列に配置されランプソケットに着脱自在に取付けられている。
【０００３】
さらに、照明器具の器具本体には、ランプを安定点灯する安定器や配線のための端子台などの機能部品が取り付けられているが、一般的には、安定器はランプとランプとの間に配置されるなど、安定器や端子台などの機能部品が配置された多灯用の直付型照明器具の重心は、当該照明器具の中心より殆どずれることはなかった。
【０００４】
また、多灯用の直付型照明器具の天井面に直付するための取付部は余裕があるため、照明器具を天井裏のスラブから垂下し取付けられているボルトに取付けるための当該ボルトの締めしろを確実に取ることができるものであった。
【０００５】
【発明が解決しようとする課題】
上記のように従来の多灯用の直付型照明器具では、照明器具の重心は、当該照明器具の中心より殆どずれることがなく、また、天井面に直付するための取付部に余裕があるため、確実に、照明器具を天井面に直付けすることができるものであった。
【０００６】
このため、器具本体の材料を剛性の小さい、例えば、材厚の薄い材料を使用しても、照明器具を天井面に取付けるとき、当該照明器具が歪むことなく取付けられ、且つ、軽量な照明器具とすることができるものであった。
【０００７】
しかし、１灯用の照明器具では、安定器などの機能部品は、薄型の照明器具が市場から要望されていることから、照明器具の中心長手方向に沿って配置されるランプと重ね合わないように、照明器具の器具本体側方に配置し取付けられている。
【０００８】
このため、薄い板金で器具本体を構成した時、安定器などの自重で、安定器のある側に器具本体が傾くとともに、ランプを装着するランプソケットも傾いてしまうため外観に影響がでるという問題があった。
【０００９】
本発明は上記の点に鑑みてなされたもので、軽量で、且つ、天井面に取付け際、歪むことのない器具本体を備えた照明器具を提供することを課題とする。
【００１０】
【課題を解決するための手段】
前記課題を達成するために、請求項１記載に係る本発明の照明器具は、天井面に直付けされる１灯用の照明器具において、前記照明器具は、少なくとも長手方向の一方端下面にランプソケットが装着されるランプソケット取付部が取付けられ幅方向断面形状が略コ字状をなす器具本体とこの器具本体に取付けられる反射板とを備え、前記照明器具の長手方向の中心線より一方側の前記器具本体下面に安定器を配置するとともに、前記照明器具の長手方向の中心線より他方側の器具本体部分を前記一方側の器具本体部分より幅狭に形成したことを特徴とするものである。
【００１１】
請求項２記載に係る本発明の照明器具は、前記ランプソケット取付部はその両側に形成された一対の取付片部を器具本体の下面に取付けて設けられ、両側縁に一対の補強片が下方に向けて折曲げ形成された前記器具本体の端部に前記天井面に突当たるように上方に向けて突出形成した複数のダボを前記一対の取付片部と交互に配置するとともに、前記ランプソケット取付部の中心は、前記照明器具の幅方向中央に位置するように配置したことを特徴とするものである。
【００１２】
上記の請求項１記載の構成において、照明器具の長手方向の中心線より一方側の器具本体の幅を反射板より幅狭に形成したので、照明器具の重量を減らすことができる。
【００１３】
さらに、請求項２記載の構成において、ランプソケット取付部の取付片部間に形成されたダボが支点となり、照明器具の長手方向の中心と器具本体の補強片によって、天井面に向かって上がろうとする力のバランスをコントロールでき、ランプソケットの取付面が水平に保たれる。
【００１４】
【発明の実施の形態】
以下、図１〜図５を参照して本発明の実施の形態に係る１灯用の直付型照明器具を説明する。
【００１５】
図１は本発明に係る天井面に直付けされる片口ランプが装着された１灯用の照明器具を示す。なお、片口金ランプでなく、両端に口金を有する直管型蛍光ランプを使用する照明器具であってもよい。
【００１６】
１灯用の照明器具１は、長手方向に長い器具本体２（図３参照）と、この器具本体を覆って下方から取付けられる上面開口した略箱状をなす反射板１０とから構成している。
【００１７】
さらに、器具本体の一方端下面に取付けられたランプソケット取付部の片口ランプソケット２１は、反射板１０の一方端下面から下方に向けて突出し、この突出した片口ランプソケット２１には、片口金ランプ３０が着脱自在に装着されている。なお、照明器具１に装着された片口金ランプ３０は、照明器具の長手方向の中心線Ａ−Ａに沿って装着されている。
【００１８】
図２は１灯用の照明器具に装着される反射板を示すもので、この反射板１０は、上面開口するとともに、外周面１１は互いに立設し対向した側面部１１ａ，１１ａと端面部１１ｂ，１１ｂとから構成され略ロ字型形状をなしている。また、反射板の上面開口全周には、内側下方に向けて略Ｕ字状に折曲げ形成された補強縁部１２（図５参照）を備えている。
【００１９】
さらに、反射板１０の下面は、長手方向に沿って山型状に上方に突出形成し、当該反射板の中央長手方向に沿って下面が反射面１７をなす平坦面部１３と、この平坦面部１３の両側縁から略ハの字に折曲げ形成され下面が反射面１７をなす一対の傾斜面部１６，１６とから構成している。
【００２０】
また、反射板の平坦面部１３には、反射板取付孔１４，１４が両端にそれぞれ穿設されているとともに、平坦面部１３の一方端には、ランプソケット取付部に取付けられたランプソケット２１が突出可能な矩形形をしたランプソケット突出孔１５が穿設されている。さらに、このランプソケット突出孔１５と反対側の平坦面部の他方端には、片口金ランプ３０を支持する下方開口したばね性を有するばね板材からなるランプ支持部材３１が取付けられている。
【００２１】
図３は安定器や端子台などの機能部品が取付けられた器具本体を示すもので、この器具本体２は、板金を幅方向に略コ字形に折曲げ形成し長手方向に沿って平坦面をなす器具本体主部３と、この器具本体主部３の両側縁には下方に向けて垂直に折曲げ形成された一対の補強片９，９とから構成している。
【００２２】
前記器具本体主部３の下面には、ランプを安定点灯する安定器３６と、配線のための端子台３７と、片口金ランプ３０を着脱自在に装着する片口ランプソケット２１を備えたランプソケット取付部２０および反射板を器具本体に取付けるための一対の略コ字形をなす反射板取付部２５，２５とがそれぞれ取り付けられている。なお、片口ランプソケット２１は、ランプソケット取付部２０に対し内側下方に向けて回動する構造になっている。
【００２３】
器具本体の長手方向に沿って示すａ−ａは、照明器具の中心線Ａ−Ａ（図１参照）と略一致するもので、このａ−ａに沿った器具本体主部３の両端には、楕円形をした一対の吊りボルト用孔１８，１８と、瓢箪形をした一対の器具本体取付孔１９，１９がそれぞれ穿設されている。
【００２４】
反射板取付部２５は、コ字形に折曲げ形成された反射板取付主部２６と、この反射板取付主部２６の両側縁から外方に向けそれぞれ水平に折曲げ形成される取付片部２９，２９とから構成するとともに、前記反射板取付主部２６の下面部２７中央には、反射板を飾りねじ４０（図５参照）で螺着するためのねじ孔２８が設けられている。
【００２５】
反射板取付部２５，２５は、当該反射板取付部のねじ孔２８が器具本体のａ−ａ上に位置するように器具本体２下面両端に電気スポットなどでそれぞれ固定されている。さらに、器具本体２の下面一方端側には、片口ランプソケット２１の中心が器具本体のａ−ａ上に位置するようにランプソケット取付部２０が取付けられている。なお、反射板１０を器具本体２に装着した状態では、器具本体に取付けられる反射板取付部のねじ孔２８，２８とは、反射板の反射板取付孔１４，１４と同じ位置になる配置されている。
【００２６】
また、器具本体２の幅は、器具本体ａ−ａから左右に振分け形成され一方側は幅寸法Ｂ１および他方側は幅寸法Ｂ２になるように形成され、Ｂ２はＢ１より幅狭に形成している。さらに、図５に示すように、器具本体２に反射板１０を装着した状態では、当該器具本体が反射板の上面開口部内に位置する形状に形成されている。
【００２７】
Ｂ１の幅寸法に形成された器具本体主部３ａには、安定器３６が補強片９に近接した位置に配置され固定されている。同様に、端子台３７も器具本体主部３ａの補強片９に近接する位置に配置され固定されている。
【００２８】
また、Ｂ２の幅寸法に形成された器具本体主部３ｂは、照明器具を軽量化するため、不要な部分を無くすため、器具本体主部３ａより幅狭に形成されている。なお、この実施の形態では器具本体主部の幅より約３割強幅狭に形成されている。
【００２９】
さらに、照明器具１を天井面（図示せず）に取付けた際、当該天井面に突当たるよう上方に向け突出するダボ４が器具本体に複数個形成している。具体的には、ランプソケット取付部２０が取付けられる器具本体端部には、ダボ４ａ，４ａが両側にそれぞれ形成されるとともに、ランプソケット取付部２０と反対側の器具本体端部には、ダボ４ｂ，４ｂがａ−ａに対して振り分け形成されている。また、器具本体の中間部にダボ４ｃが突出形成されている。なお、ダボ４ａ、ダボ４ｂおよびダボ４ｃは同一高さに形成されている。
【００３０】
前記ダボ４ａ，４ａは、図４に示すように、ランプソケット取付部の両側に形成された取付片部２０ａ，２０ａと交互に配置されるよう、一方のダボ４ａは、ランプソケット取付部の取付片部２０ａ，２０ａ間に設けるとともに、他方側のダボ４ａは、ランプソケット取付部の取付片部２０ａの外方に位置するように配置されている。
【００３１】
次に上記実施の形態に係る照明器具の作用を説明する。
【００３２】
図５は器具本体２に反射板１０を飾りねじ４０で螺着固定した状態を示すもので、飾りねじ４０を下方から反射板１０の反射板取付孔１４に挿入するとともに、当該飾りねじ４０を螺合方向に回すと、器具本体に取付けられている反射板取付部のねじ孔２８に螺着する。さらに、飾りねじ４０を締付方向に回していくと、反射板１０は器具本体２に取付けられる。
【００３３】
器具本体主部３ｂは、図５に示すように、不要な部分を無くしたため、器具本体主部３ａより幅狭に形成され、この実施の形態では、器具本体の３割強の材料をカットしていることからコストダウンになるとともに、照明器具の重量を大幅に削減できる。このため、耐震安全性も向上する。
【００３４】
第２に、安定器３６の逆側に位置する器具本体主部３ｂに天井面と器具本体との間に隙間を持たせるとともに、照明器具１を天井面（図示せず）に取付けた際、図３に示すように、天井面に突当たる上方に向け突出するダボ４ｃを設けている。一方、安定器３６の直上には、照明器具１を天井面（図示せず）に取付けた際、天井面に突当たる上方に向け突出するダボをもたない構造にした。
【００３５】
このため、器具本体を薄い板金で構成し、この器具本体に安定器を配置したとき、当該安定器の自重で安定器側に器具本体が傾いてしまい、この影響で、ランプソケットなども傾いてしまうなど外観に悪影響がでるが、器具本体主部３ｂに設けたダボ４ｃで安定器３６を上方に持ち上げ照明器具１の水平性を保つ構造にしたので、器具本体の歪みを是正することができるものである。
【００３６】
第３に、照明器具の端部において、薄い板金の器具本体では、当該器具本体の端部が下方に向けて垂れ下り器具本体が反ってしまう。また、垂れ下がりの中心は、器具本体の中心と一致してしまう。
【００３７】
このため、照明器具の長手方向の中心線Ａ−Ａは天井面方向へ向け力が作用しているため、ランプソケット取付部の一方の取付片部２０ａ（図４では識別のために取付片部２０ａｂとして併記する。）は下方に向けて下がるとともに、一方、ランプソケット取付部の他方の取付片部２０ａ（図４では識別のために取付片部２０ａｃとして併記する。）は天井面側に向けて上がることから、片口ランプソケット２１は大きく傾く。
【００３８】
しかし、ランプソケット取付部２０の取付片部２０ａ，２０ａ間に形成されたダボ４ａが支点となり、照明器具の中心と器具本体の補強片９（図４では識別のために補強片９ａとして併記する。）によって、天井面に上がろうとする力のバランスをコントロールでき、ランプソケット取付部の取付面が水平に保たれ，照明器具の歪みを是正することができる。
【００３９】
【発明の効果】
以上詳記したように請求項１記載の本発明によれば、照明器具の重量を大幅に減らすことができ、安価な製品を提供できる。さらに、照明器具の軽量化により耐震安全性も向上する。
【００４０】
請求項２記載の本発明によれば、ランプソケット取付部の取付片部間に形成されたダボが支点となり、照明器具の中心と器具本体の補強片によって、天井面に上がろうとする力のバランスをコントロールでき、ランプソケット取付部の取付面が水平に保たれ，照明器具の歪みを是正することができる。
【図面の簡単な説明】
【図１】本発明の第１実施の形態に係る１灯用の直付型照明器の全体構成を示す斜視図。
【図２】同実施の形態における１灯用の直付型照明器の反射板を示す斜視図。
【図３】同実施の形態における１灯用の直付型照明器の器具本体を示す斜視図。
【図４】同実施の形態における１灯用の直付型照明器の器具本体を示すＡ矢視方向からの側面図。
【図５】同実施の形態における１灯用の直付型照明器を示す側面断面図。
【符号の説明】
１…照明器具，
２…器具本体，
Ａ−Ａ…器具本体の長手方向の中心線，
３ａ…一方の器具本体部分,
３ｂ…他方の器具本体部分,
４ａ…ダボ，
９（９ａ）…補強片,
１０…反射板，
２０…ランプソケット取付部，
２０ａ（２０ａｂ，２０ａｃ）…取付片部,
２１…ランプソケット（片口ランプソケット），
３６…安定器。
【図１】
0004026263.tif 000002
【図２】
0004026263.tif 000003
【図３】
0004026263.tif 000004
【図４】
0004026263.tif 000005
【図５】
0004026263.tif 000006